(57)【要約】【課題】制限された装置全体の長さの範囲で調理板の長さを拡張することができる電気ロースターを提供する。【解決手段】電気ロースターは、第１長側壁と第２長側壁を含む一対の長側壁及び前記一対の長側壁より短く形成された第１短側壁と第２短側壁を含む一対の短側壁を有し、前記一対の長側壁と前記一対の短側壁で囲まれた調理空間を有し、前記一対の長側壁と平行な中心軸線から所定の距離だけ離隔した位置において前記中心軸線の方向と異なる方向の辺を有する角部を含むフレームと、前記角部において前記中心軸線の方向と異なる方向に着脱可能に設けられた、ヒーター電源供給端子を含む電源供給部と、前記調理空間に設けられた調理板と、前記ヒーター電源供給端子と着脱可能に接続されるヒーター電源接続端子を有し、前記ヒーター電源供給端子を介して電源を供給されて前記調理板を加熱するヒーターと、を備える。【選択図】図１
2020011024.tif 000002
【特許請求の範囲】
【請求項１】
第１長側壁と第２長側壁を含む一対の長側壁及び前記一対の長側壁より短く形成された第１短側壁と第２短側壁を含む一対の短側壁を有し、前記一対の長側壁と前記一対の短側壁で囲まれた調理空間を有し、前記一対の長側壁と平行な中心軸線から所定の距離だけ離隔した位置において前記中心軸線の方向と異なる方向の辺を有する角部を含むフレームと、
前記角部において前記中心軸線の方向と異なる方向に着脱可能に設けられた、ヒーター電源供給端子を含む電源供給部と、
前記調理空間に設けられた調理板と、
前記ヒーター電源供給端子と着脱可能に接続されるヒーター電源接続端子を有し、前記ヒーター電源供給端子を介して電源を供給されて前記調理板を加熱するヒーターと、
を備える、
電気ロースター。
【請求項２】
前記フレームは、前記電源供給部が結合される位置に、収容空間を含む電源供給部収容部をさらに含み、
前記電源供給部は、前記収容空間に対してスライディング式で着脱可能に装着される、
請求項１に記載の電気ロースター。
【請求項３】
前記一対の長側壁の長手方向に装着される長形の電動ファンをさらに備え、
前記電源供給部は、前記電動ファンに電源を供給するための電動ファン電源供給端子をさらに含む、
請求項２に記載の電気ロースター。
【請求項４】
前記電源供給部収容部は、前記第１長側壁と前記第１短側壁との間で、前記フレームの対角方向において前記フレームの外側に突出している、
請求項２に記載の電気ロースター。
【請求項５】
前記電源供給部は、前記電動ファン電源供給端子を含む電動ファン電源供給部を含み、前記電動ファン電源供給端子は、前記電動ファン電源供給部の下面において露出する端子面を含み、
前記電動ファンは、前記電源供給部が前記収容空間に位置して挿入されるにつれて前記電動ファン電源供給部の前記下面と接触した状態でスライディングされ、前記端子面と電気的に接触する電動ファン電源接続端子を含む、
請求項３に記載の電気ロースター。
【請求項６】
前記電動ファン電源接続端子は弾性部材で形成され、
前記電動ファン電源供給部の前記下面は、下面端部側に向けて高くなるように傾斜して形成され、前記電動ファン電源接続端子の端部が前記下面端部に接触する状態における前記電動ファン電源接続端子の長さよりも、前記電動ファン電源接続端子の端部が前記端子面に接触する状態における前記電動ファン電源接続端子の長さの方が短い、
請求項５に記載の電気ロースター。
【請求項７】
前記電動ファン電源供給部の前記下面には、前記下面端部側から前記端子面につながるガイド部が形成されている、
請求項６に記載の電気ロースター。
【請求項８】
前記電動ファン電源供給部の前記下面には溝が形成されており、前記端子面は前記溝内に位置し、
前記電動ファン電源接続端子の端部は、前記溝内に挿入された状態で前記端子面と接触する、
請求項６に記載の電気ロースター。
【請求項９】
前記電動ファンは、モーター、前記モーターの一方の側に結合するファン、及び前記モーターにおいて前記ファンの反対側に結合する接続端子支持部を含み、
前記電動ファン電源接続端子は、前記電源供給部収容部に前記電源供給部が収容された状態で端部が前記端子面に接触する高さだけ前記端子面に向けて上方に突出するように形成された、
請求項５に記載の電気ロースター。
【請求項１０】
前記電動ファン電源接続端子の長さは、前記モーターの上端部の長さより短い、
請求項９に記載の電気ロースター。
【請求項１１】
前記接続端子支持部は、接続端子収容溝と、前記モーターと電気的に接続される電極を収容するモーター端子収容溝を含み、
前記電動ファン電源接続端子は、前記接続端子収容溝に挿入され、一端が前記電極と電気的に接続される弾性部材を含む、
請求項９に記載の電気ロースター。
【請求項１２】
前記電動ファン電源接続端子は、前記弾性部材の端部に電気伝導性を有する電極部材を含む、
請求項１１に記載の電気ロースター。
【請求項１３】
前記調理板は、前記調理空間に収容可能な大きさを有し、長手方向の両側の端からそれぞれ上方に延長して前記調理板の外側に屈曲する取っ手を含む、
請求項１に記載の電気ロースター。
【請求項１４】
前記取っ手は、前記調理板と一体型に形成された、
請求項１３に記載の電気ロースター。
【請求項１５】
平行な一対の第１側壁及び前記一対の第１側壁と垂直を成す平行な一対の第２側壁を有し、前記一対の第１側壁と前記一対の第２側壁で囲まれた調理空間を提供するフレームと、
前記フレームの前記一対の第１側壁に平行な前記フレームの中心軸線から所定の距離だけ離隔されて前記中心軸線の方向と異なる方向に着脱可能に設けられた、ヒーター電源供給端子を含む電源供給部と、
前記調理空間に設けられた調理板と、
ヒーター電源接続端子を含み、前記ヒーター電源供給端子を介して電源を供給され、前記調理板を加熱するヒーターと、
を備える、
電気ロースター。
【発明の詳細な説明】
【技術分野】
【０００１】
本発明は、電気ロースターに関する。
【背景技術】
【０００２】
電気ロースターは、本体にヒーターと調理板を備え、電源を投入してヒーターを加熱することで調理板で肉類、魚介類、野菜類などの食材を調理するための機器である。
【０００３】
従来の電気ロースターは、例えば、韓国特許公開公報第１０−２０１７−００９４６１１号に記載のものがある。通常、電気ロースターは、韓国特許公開公報第１０−２０１７−００９４６１１号に記載されているように、片側に長く形成され、平面視で長方形の形状を有し、電源供給部は本体の短側面の中央に長手方向の中心線と平行に設けられている。
【０００４】
調理板は、本体の側壁によって囲まれた調理空間内に設けられ、それぞれの側壁は調理板の上面より高く形成されている。食材を調理する空間をできるだけ確保するため、調理板は側壁に密着する程度に制限された範囲でできるだけ大きく形成するのが一般的である。
【先行技術文献】
【特許文献】
【０００５】
【特許文献１】韓国特許公開公報第１０−２０１７−００９４６１１号
【発明の概要】
【発明が解決しようとする課題】
【０００６】
このような構造の電気ロースターは、片側の短側面の中央に電源供給部が備えられているので、電源供給部を含む装置全体の長さを考慮すると調理板の大きさに制限がある。調理板をより長くするためには電気ロースター全体の長さを長くする必要があり、これは製品のコストが上がるのみならず、使用及び保管に不便をもたらす問題がある。
【０００７】
さらに、電源供給部の位置と本体の側壁及び調理板の構造により、調理板の取っ手がないか、または別途の部材を用いて調理板の長手方向の両側の縁に垂直に伸縮可能な形で取っ手を設けている。このような構造によって取っ手を設けるために、調理板の縁はそれだけの空間を確保するための大きさを必要とし、これは調理空間の確保にもう一つの制約になり得る。さらに、そのような取っ手は調理の際の熱によって加熱され易く、食べ物で汚染される場合が多いので、調理の途中で調理板を本体から持ち上げ難いという問題がある。
【０００８】
従来の空気循環式電気ロースターの場合、電源供給部が短手方向の中央に本体の中心線と平行に設けられているので、電源供給部と電動ファン（空気循環部）との間の距離によって電源供給部と電動ファンをダイレクトに接続できず、別途の接続手段を必要とする。これによって部品の数が増え、製品のコスト上昇の原因となり、分解及び組立が容易ではない問題となる。
【０００９】
さらに、従来の電動ファンの電源接続端子は、上方に突出したピンの形で、前述した接続手段の下方に開いた端子ソケットに挿入されて電気的に接続される構造となっている。このような構造は、電動ファンの装着の際にソケットとピンを整列する必要があるのみならず、電動ファンを分離する際にピンの反対側を先に持ち上げると、テコの原理によってピンまたは接続手段が損傷する場合がある。
【００１０】
本発明は、上述した従来の要求に応えるために成されたものであり、本発明の少なくとも一つの実施例では、制限された装置全体の長さの範囲で調理板の長さを拡張することができる電気ロースターを提供することを目的とする。
【００１１】
さらに、調理板に形成した取っ手をフレームの外部に露出し、取っ手が厚くなるような問題を解消できる電気ロースターを提供することを目的とする。
【００１２】
さらに、電源供給部と電動ファンをダイレクトに接続し、部品の数を減らし、分解及び組立を容易にできる電気ロースターを提供することを目的とする。
【００１３】
本発明の解決課題は以上で言及されたものに限定されず、言及されていない他の解決課題は下記の記載から当該技術分野における通常の知識を有した者に明確に理解できるであろう。
【課題を解決するための手段】
【００１４】
本発明の少なくとも一つの実施例においては、第１長側壁と第２長側壁を含む一対の長側壁及び前記一対の長側壁より短く形成された第１短側壁と第２短側壁を含む一対の短側壁を有し、前記一対の長側壁と前記一対の短側壁で囲まれた調理空間を有し、前記一対の長側壁と平行な中心軸線から所定の距離だけ離隔した位置において前記中心軸線の方向と異なる方向の辺を有する角部を含むフレームと、前記角部において前記中心軸線の方向と異なる方向に着脱可能に設けられた、ヒーター電源供給端子を含む電源供給部と、前記調理空間に設けられた調理板と、前記ヒーター電源供給端子と着脱可能に接続されるヒーター電源接続端子を有し、前記ヒーター電源供給端子を介して電源を供給されて前記調理板を加熱するヒーターと、を備える、電気ロースターを提供する。
【００１５】
本発明の少なくとも一つの実施例において、前記フレームは、前記電源供給部が結合される位置に、収容空間を含む電源供給部収容部をさらに含み、前記電源供給部は、前記収容空間に対してスライディング式で着脱可能に装着される。
【００１６】
本発明の少なくとも一つの実施例において、前記一対の長側壁の長手方向に装着される長形の電動ファンをさらに備え、前記電源供給部は、前記電動ファンに電源を供給するための電動ファン電源供給端子をさらに含む。
【００１７】
本発明の少なくとも一つの実施例において、前記電源供給部収容部は、前記第１長側壁と前記第１短側壁との間で、前記フレームの対角方向において前記フレームの外側に突出している。
【００１８】
本発明の少なくとも一つの実施例において、前記電源供給部は、前記電動ファン電源供給端子を含む電動ファン電源供給部を含み、前記電動ファン電源供給端子は、前記電動ファン電源供給部の下面において露出する端子面を含み、前記電動ファンは、前記電源供給部が前記収容空間に位置して挿入されるにつれて前記電動ファン電源供給部の前記下面と接触した状態でスライディングされ、前記端子面と電気的に接触する電動ファン電源接続端子を含む。
【００１９】
本発明の少なくとも一つの実施例において、前記電動ファン電源接続端子は弾性部材で形成され、前記電動ファン電源供給部の前記下面は、下面端部側に向けて高くなるように傾斜して形成され、前記電動ファン電源接続端子の端部が前記下面端部に接触する状態における前記電動ファン電源接続端子の長さよりも、前記電動ファン電源接続端子の端部が前記端子面に接触する状態における前記電動ファン電源接続端子の長さの方が短い。
【００２０】
本発明の少なくとも一つの実施例において、前記電動ファン電源供給部の前記下面には、前記下面端部側から前記端子面につながるガイド部が形成されている。
【００２１】
本発明の少なくとも一つの実施例において、前記電動ファン電源供給部の前記下面には溝が形成されており、前記端子面は前記溝内に位置し、前記電動ファン電源接続端子の端部は、前記溝内に挿入された状態で前記端子面と接触する。
【００２２】
本発明の少なくとも一つの実施例において、前記電動ファンは、モーター、前記モーターの一方の側に結合するファン、及び前記モーターにおいて前記ファンの反対側に結合する接続端子支持部を含み、前記電動ファン電源接続端子は、前記電源供給部収容部に前記電源供給部が収容された状態で端部が前記端子面に接触する高さだけ前記端子面に向けて上方に突出するように形成される。
【００２３】
本発明の少なくとも一つの実施例において、前記電動ファン電源接続端子の長さは、前記モーターの上端部の長さより短い。
【００２４】
本発明の少なくとも一つの実施例において、前記接続端子支持部は、接続端子収容溝と、前記モーターと電気的に接続される電極を収容するモーター端子収容溝を含み、前記電動ファン電源接続端子は、前記接続端子収容溝に挿入され、一端が前記電極と電気的に接続される弾性部材を含む。
【００２５】
本発明の少なくとも一つの実施例において、前記電動ファン電源接続端子は、前記弾性部材の端部に電気伝導性を有する電極部材を含む。
【００２６】
本発明の少なくとも一つの実施例において、前記調理板は、前記調理空間に収容可能な大きさを有し、長手方向の両側の端からそれぞれ上方に延長して前記調理板の外側に屈曲する取っ手を含む。
【００２７】
本発明の少なくとも一つの実施例において、前記取っ手は、前記調理板と一体型に形成される。
【００２８】
本発明の少なくとも一つの実施例においては、平行な一対の第１側壁及び前記一対の第１側壁と垂直を成す平行な一対の第２側壁を有し、前記一対の第１側壁と前記一対の第２側壁で囲まれた調理空間を提供するフレームと、前記フレームの前記一対の第１側壁に平行な前記フレームの中心軸線から所定の距離だけ離隔されて前記中心軸線の方向と異なる方向に着脱可能に設けられた、ヒーター電源供給端子を含む電源供給部と、前記調理空間に設けられた調理板と、ヒーター電源接続端子を含み、前記ヒーター電源供給端子を介して電源を供給され、前記調理板を加熱するヒーターと、を備える、電気ロースターを提供する。
【発明の効果】
【００２９】
本発明によれば、制限された装置全体の長さの範囲で調理板の長さを拡張することができるという効果を奏する。
【００３０】
さらに、本発明によれば、調理板に形成した取っ手をフレームの外部に露出し、取っ手が厚くなるような問題を解消できるという効果を奏する。
【００３１】
さらに、本発明によれば、電源供給部と電動ファンをダイレクトに接続し、部品の数を減らし、分解及び組立を容易にできるという効果を奏する。
【００３２】
本発明の効果は以上で言及されたものなどに限定されず、言及されていない他の効果は下記の記載から当該技術分野における通常の知識を有した者に明確に理解できるはずである。
【図面の簡単な説明】
【００３３】
【図１】本発明の少なくとも一つの実施例に係る電気ロースターの斜視図である。
【図２】本発明の少なくとも一つの実施例に係る電気ロースターの上方対角方向から見た分解組立図である。
【図３】本発明の少なくとも一つの実施例に係る電気ロースターの下方対角方向から見た分解組立図である。
【図４】本発明の少なくとも一つの実施例に係る電気ロースターの調理板の分解組立図である。
【図５】本発明の少なくとも一つの実施例に係る電気ロースターの電源供給部を挿入する様子を示す斜視図である。
【図６】本発明の少なくとも一つの実施例に係る電気ロースターの電源供給部の斜視図及び一部拡大図である。
【図７】本発明の少なくとも一つの実施例に係る電気ロースターの電動ファンの斜視図及び一部拡大図である。
【図８】本発明の少なくとも一つの実施例に係る電気ロースターの電源供給部がヒーター及び電動ファンと接続されている様子を示す斜視図である。
【図９】本発明の少なくとも一つの実施例に係る電気ロースターの電動ファン電源接続端子と電動ファン電源供給端子の接続部の拡大図である。
【発明を実施するための形態】
【００３４】
以下、添付図面を参照し、本発明の少なくとも一つの実施例に係る電気ロースターについて詳しく説明する。
【００３５】
図１は、本発明の少なくとも一つの実施例に係る電気ロースターの斜視図である。図２は、本発明の少なくとも一つの実施例に係る電気ロースターの上方対角方向から見た分解組立図である。図３は、本発明の少なくとも一つの実施例に係る電気ロースターの下方対角方向から見た分解組立図である。図４は、本発明の少なくとも一つの実施例に係る電気ロースターの調理板３２０の分解組立図である。図５は、本発明の少なくとも一つの実施例に係る電気ロースターの電源供給部２５０を挿入する様子を示す斜視図である。図６は、本発明の少なくとも一つの実施例に係る電気ロースターの電源供給部２５０の斜視図及び一部拡大図である。
【００３６】
図１乃至図４に示すように、本発明の少なくとも一つの実施例に係る電気ロースターは、フレーム、電源供給部２５０、調理板３２０、ヒーター４２０、空気循環板４３０、油受け部５１０、及び電動ファン５２０を備える。
【００３７】
本発明の少なくとも一つの実施例において、フレームは、上部フレーム１００と下部フレーム２１０で構成される。
【００３８】
上部フレーム１００は、対向する第１長側壁１１０と第２長側壁１２０、及びこの長側壁より短く形成された対向する第１短側壁１３０と第２短側壁１４０で構成される。
【００３９】
本発明の少なくとも一つの実施例において、上部フレーム１００は、平面視で３か所の角がラウンド処理された長方形の形状で、第１長側壁１１０、第２長側壁１２０、第１短側壁１３０、及び第２短側壁１４０で囲まれた調理空間を提供する。上部フレーム１００は、ラウンド処理されていない１か所の角部に電源供給部を収容する収容空間が形成された電源供給部収容部１５０を含む。角部は、一対の長側壁（第１長側壁１１０と第２長側壁１２０）と平行な中心軸線から所定の距離だけ離隔した位置において中心軸線の方向と異なる方向の辺を有する部分である。
【００４０】
第１長側壁１１０と第２長側壁１２０には、空気循環板４３０のフランジ部が装着される段差部１９０が形成され、第１短側壁１３０と第２短側壁１４０には、調理板３２０の両端に形成された取っ手３７０が位置する取っ手装着部２００が形成される。
【００４１】
下部フレーム２１０は、底部２３０と、底部２３０から上方に延長して第１長側壁１１０、第２長側壁１２０、第１短側壁１３０、及び第２短側壁１４０の下部と結合する４つの側壁２２０で構成される。図３に示すように、下部フレーム２１０には、電動ファン５２０が設けられる電動ファン収容部２４０が形成される。電動ファン５２０は、下部フレーム２１０の底部２３０から挿入されて装着される。
【００４２】
電源供給部収容部１５０は、第１長側壁１１０の延長線と第１短側壁１３０の延長線が交差する領域で上部フレーム１００に対して対角方向に形成され、上部フレーム１００の第１長側壁１１０及び第１短側壁１３０から連続するように一体型で形成される。ここで、連続するように一体型で形成されるとは、例えば、射出成型などで一つのピースで一体的に形成されることを意味する。電源供給部収容部１５０は、第１長側壁１１０と第１短側壁１３０との間で、上部フレーム１００の対角方向において上部フレーム１００の外側に突出している。
【００４３】
本発明の少なくとも一つの実施例において、電源供給部収容部１５０は、上部フレーム１００のみに形成され、下部フレーム２１０から上部フレーム１００を分離する際に、電源供給部２５０をフレームから分離することなく、上部フレーム１００を分離することが可能である。
【００４４】
電源供給部収容部１５０は、調理空間と収容空間を区画する隔壁１６０を含み、隔壁１６０には、電源供給部２５０とヒーター４２０との接続のための第１接続ホール１７０と、電源供給部２５０と電動ファン５２０との接続のための第２接続ホール１８０が形成される。隔壁１６０は、第１長側壁１１０の端部及び第１短側壁１３０の端部を繋いで一体型に形成される。
【００４５】
電源供給部２５０は、電源供給部収容部１５０に結合され、ヒーター電源供給端子２７０を有するヒーター電源供給部２６０及び電動ファン５２０に電源を供給するための電動ファン電源供給端子３１０、３１１を有する電動ファン電源供給部２８０を含む。電源供給部２５０は、上部フレーム１００の一対の第１側壁に平行な前記フレームの中心軸線から所定の距離だけ離隔されて中心軸線の方向と異なる方向に着脱可能に設けられた、ヒーター電源供給端子２７０を含む。具体的には、電源供給部２５０は、角部において着脱可能に設けられている。
【００４６】
電源供給部２５０には、電動ファン５２０への電流供給をオン・オフスイッチングする電動ファンスイッチ２５２と、設定温度でヒーター４２０への電源供給を遮断さるためにヒーター４２０の温度を感知する温度感知ピン２５３が含まれる。温度感知ピン２５３は、過熱防止のための安全装置の役割を担う。
【００４７】
ヒーター電源供給端子２７０は、図５のＡ方向に挿入され、ヒーター４２０のヒーター電源接続端子４２１と電気的に接続される。本発明の少なくとも一つの実施例において、ヒーター電源供給端子２７０はソケットの形態で、ヒーター電源接続端子４２１はピンの形態で、ヒーター電源接続端子４２１がヒーター電源供給端子２７０に挿入されて電気的に接続される。
【００４８】
電動ファン電源供給端子３１０、３１１は、電動ファン５２０の電動ファンの電源接続端子とそれぞれの下面と上面が互いにスライディングしながら接触して電気的に接続される。
【００４９】
電源供給部２５０の電動ファン電源供給端子３１０、３１１は、電動ファン電源供給部２８０の下面において露出する端子面１５００、１５０１を含む。
【００５０】
図７は、本発明の少なくとも一つの実施例に係る電気ロースターの電動ファン５２０の斜視図及び一部拡大図である。図８は、本発明の少なくとも一つの実施例に係る電気ロースターの電源供給部２５０がヒーター４２０及び電動ファン５２０と接続されている様子を示す斜視図である。図９は、本発明の少なくとも一つの実施例に係る電気ロースターの電動ファン電源接続端子１５４０、１５５０と電動ファン電源供給端子３１０、３１１の接続部の拡大図である。電動ファン電源接続端子１５４０、１５５０は、電源供給部収容部１５０に電源供給部２５０が収容された状態で端部が端子面１５００、１５０１に接触する高さだけ端子面１５００、１５０１に向けて上方に突出するように形成されている。
【００５１】
電動ファン電源供給部２８０の下面は溝１２３０、１２３１を含み、端子面１５００、１５０１は、溝１２３０、１２３１の中に所定の深さだけ入って位置し、電動ファン電源接続端子１５４０、１５５０の端部は弾性的に圧縮可能で、少なくとも一部の圧縮状態が解除されながら溝１２３０、１２３１内に挿入され、端子面３００と接触するようになる。電動ファン電源接続端子１５４０、１５５０の端部が端子面１５００、１５０１に接触する際に、「カチッ」という音が発生するか、または少々の振動が発生し得るので、ユーザーはこれによって接触が適切になされたことを感知することができる。
【００５２】
電動ファン電源供給部２８０の下面は、下面の端部側に向けて高くなるように傾斜して形成されており、電動ファン電源接続端子１５４０、１５５０の端部が下面端部に接触する状態における電動ファン電源接続端子１５４０、１５５０の長さよりも、電動ファン電源接続端子１５４０、１５５０の端部が端子面に接触する状態における電動ファン電源接続端子１５４０、１５５０の長さの方が短い。すなわち、電源供給部２５０が電動ファン電源供給部２８０も挿入されるにつれて、電動ファン電源接続端子１５４０、１５５０が圧縮されて短くなる。
【００５３】
電源供給部２５０は、電源のオン・オフまたは強弱を調整するための調整ノブ２５４を有して収容空間に位置するノブ部２５１を含み、電動ファン電源供給部２８０は、ノブ部２５１から調理空間に向けて突出するように形成される。
【００５４】
電源供給部２５０は、電源供給部収容部１５０に押し込むかまたは引き抜くことで装着または分離し、着脱可能に構成される。具体的に、電源供給部２５０のヒーター電源供給部２６０は、隔壁１６０の第１接続ホール１７０を貫通して後述する放熱板３９０の締結部の締結溝に挿入されて結合される。この場合、ヒーター電源供給部２６０の外側面と締結溝の内側面は互いに接触しながら結合し、電源供給部２５０は、締結部との結合を介して放熱板３９０によって支持される。
【００５５】
調理板３２０は、調理空間に位置し、第１長側壁１１０の長手方向に延長して形成され、片側で電源供給部２５０との干渉を回避するための形状を有する回避部３４０を含む。回避部３４０は、空気循環板４３０の底板４６０にも同じように形成することができる。
【００５６】
本発明の少なくとも一つの実施例において、回避部３４０は、調理板３２０の該当する角を切断してチャンファリングしたのと同じ形状である。回避部３４０は、調理板３２０における角部に対応する箇所に形成された辺を含む。この辺の方向は、短辺の方向と長辺の方向との間の方向であり、例えば電源供給部２５０が着脱される方向と直交する方向である。
【００５７】
調理板３２０は、長側壁に沿って延長する両側の長辺部３５０と短側壁に沿って延長する両側の短辺部３６０を含み、それぞれの短辺部３６０には一体型で上方に延長し、調理板３２０の外側に屈曲してさらに延長する取っ手３７０を含む。
【００５８】
調理板３２０には、中心部に油排出孔３３０が形成されている。本発明の少なくとも一つの実施例において、調理板３２０の調理面は、端から中心部の油排出孔３３０まで傾斜した形で形成され、調理の際に発生する油が調理面に沿って油排出孔３３０に流れやすい構造になっている。図面には油排出孔３３０が中央に一つだけ図示されているが、油排出孔３３０の数及び形状は特に限定されず、必要に応じて設定可能である。油排出孔３３０は、下方に突出するように形成することができる。
【００５９】
調理板３２０の下面には、ヒーター４２０が装着されるヒーター装着部３８０が形成され、ヒーター４２０からの熱がヒーター４２０の上部の調理板３２０に伝達される。本発明の少なくとも一つの実施例において、ヒーター４２０からの熱がヒーター４２０の下部には伝達されないように、ヒーター４２０の下部を覆う放熱板３９０が含まれる。
【００６０】
放熱板３９０において、電源供給部２５０に対応する角部には電源供給部２５０を向けて突出する締結溝を有する締結部が形成される。ヒーター電源接続端子４２１は、この締結溝の中に配置される。
【００６１】
放熱板３９０には、油排出孔３３０と同一の位置に貫通孔４１０が形成される。
【００６２】
ヒーター４２０は、調理板３２０の下部に設けられ、ヒーター電源供給端子２７０を介して電源を供給され、調理板３２０を加熱する。
【００６３】
空気循環板４３０は、第１側面板４４０、第２側面板４５０、及び底板４６０で構成される。底板４６０は下部を形成し、その両側に第１側面板４４０及び第２側面板４５０が形成される。
【００６４】
図２及び図３に示すように、第１側面板４４０及び第２側面板４５０や板状で形成され、複数の通気孔４７０が形成されて空気が流れるように形成される。
【００６５】
第１側面板４４０及び第２側面板４５０は、空気循環板４３０の底板４６０と脱着できるように分離して形成することも可能であり、底板４６０と一体型で形成することも可能である。
【００６６】
第１側面板４４０及び第２側面板４５０の上端部にはフランジ部４８０が形成され、フランジ部４８０が上部フレーム１００の段差部１９０に装着される。
【００６７】
本発明の少なくとも一つの実施例において、底板４６０には、排出孔４９０及び装着孔５００が形成される。底板４６０は、端から中心部に形成された排出孔４９０まで傾斜した形で形成することができる。
【００６８】
排出孔４９０は、空気循環板４３０の底板４６０の中心部に形成される。調理板３２０の油排出孔３３０から排出される油が排出孔４９０を通して排出される。排出孔４９０は複数個あっても良いし、円形、四角形、またはその他の形状に形成しても良い。図１には排出孔４９０を空気循環板４３０の底板４６０の中心部に形成すると図示しているが、排出孔４９０の位置はその下に位置する油受け部５１０の位置によって適切に設定可能である。
【００６９】
装着孔５００は、底板４６０の端側に複数個が形成されており、調理板３２０の下側に位置する放熱板３９０に形成された複数の固定突出部４００が装着または挿入される。複数の固定突出部４００が装着孔５００に装着または挿入され、調理板３２０とヒーター４２０及び放熱板３９０の組立体の位置が決定され、このように決定された位置で電源供給部２５０との結合が可能になる。一部の固定突出部４００が装着孔５００に装着または挿入されないと、放熱板３９０の締結部の位置が電源供給部２５０のヒーター電源供給部２６０の位置とずれることになり、電気的な接続が得られなくなる。従って、複数の固定突出部４００と装着孔５００は、そのような意味で安全装置の役割を果たす。固定突出部４００は、本発明の少なくとも一つの実施例において、耐熱性の優れたゴム素材でできている。
【００７０】
本発明の少なくとも一つの実施例において、放熱板３９０に装着孔５００が形成され、底板４６０には上方に突出する固定突出部４００が形成されても良い。
【００７１】
油受け部５１０は、下部フレーム２１０の底部２３０の上方に設けられ、調理板３２０から排出される油を収納する。本発明の少なくとも一つの実施例において、油受け部５１０はトレイ（受け皿）の形状で、例えば、底部２３０の上面において着脱され、廃油を収集可能で、洗浄も容易である。本発明の少なくとも一つの実施例において、油受け部５１０は下部フレーム２１０に引き出し式で設けられても良い。
【００７２】
電動ファン５２０は、第１長側壁１１０側により近く形成された電動ファン収容部２４０に設けられている。
【００７３】
図７に示すように、電動ファン５２０は、ファン１３３０、モーター１３４０、位置維持部(１３６０、１３７０、１４４０)、及び電源接続部１３５０を含む。
【００７４】
ファン１３３０は、所定の間隔で離隔された複数のインペラ側板１３３１とインペラ側板１３３１の円周方向に配列された複数のブレード１３３２で構成される。インペラ側板１３３１には、その中心部にモーター１３４０の回転軸と結合するファン軸（不図示）が形成される。
【００７５】
モーター１３４０は、ファン１３３０と結合し、ファン１３３０に回転トルクを供給する。モーター１３４０は、ファン軸とモーター１３４０の回転軸が一致するようにファン１３３０の一側に設けられる。
【００７６】
位置維持部は、本発明の少なくとも一つの実施例において、パッキングフレーム及びパッキングを含み、ファン１３３０またはモーター１３４０を囲み、電動ファン収容部２４０の内壁に対して決定されたファン１３３０及びモーター１３４０の位置を維持する。
【００７７】
パッキングフレームは、ファン１３３０を支持するようにファン１３３０の両端に設けられる。パッキングフレームは第１パッキングフレーム１３６０と第２パッキングフレーム１３７０を含み、モーター１３４０は第１パッキングフレーム１３６０側に設けられる。第１パッキングフレーム１３６０には、ファン１３３０の軸方向に突出する電源接続部固定部材１３８０が設けられる。
【００７８】
電源接続部固定部材１３８０は、支持部フレーム１３９０の固定部１４００に結合される。
【００７９】
支持部フレーム１３９０は、固定部１４００と固定部１４００からファン１３３０の軸方向に突出して形成された接続端子支持部１４５０が設けられる支持部設置板１４１０を含む。
【００８０】
第１パッキングフレーム１３６０と第２パッキングフレーム１３７０の間には、ファン１３３０を囲み、パッキングフレームの幅より小さく形成したハウジング１４２０が位置し、ハウジング１４２０の外壁には複数の空気流入孔１４３０が形成される。第１パッキングフレーム１３６０と第２パッキングフレーム１３７０及びハウジング１４２０は一体型に形成されても良い。
【００８１】
第１パッキングフレーム１３６０と第２パッキングフレーム１３７０のそれぞれには、その外周を囲んで設けられる少なくとも一つ以上のパッキング１４４０が設けられる。
【００８２】
電源接続部は、モーター１３４０に対してファン１３３０の反対側に位置し、モーター１３４０側からファン１３３０の反対方向に延長して形成される接続端子支持部１４５０を含む。
【００８３】
接続端子支持部１４５０は、モーター１３４０から所定の距離だけ離隔した位置で電動ファン電源供給端子３１０、３１１と電気的に接続される電動ファン電源接続端子１５４０、１５５０を含む。本発明の少なくとも一つの実施例において、電動ファン電源供給端子３１０、３１１は端子そのものであるが、別途の接続手段を含む場合には、電動ファン電源接続端子１５４０、１５５０と電気的に接続できるようにその接続手段に設けられた電気端子であっても良い。
【００８４】
接続端子支持部１４５０は支持部設置板１４１０設けられ、接続端子支持部１４５０が設けられた支持部フレーム１３９０の固定部１４００が電源接続部固定部材１３８０に設けられる。支持部フレーム１３９０と電源接続部固定部材１３８０の結合方式は、添付の図面を参照すると当業者には自明であるので、詳細な説明は省略する。
【００８５】
接続端子支持部１４５０は、モーター１３４０の回転軸（不図示）に対して一方にかたよって位置し、電動ファン電源接続端子１５４０、１５５０は、接続端子支持部１４５０に対して垂直に配置され、モーター１３４０の回転軸がある方向に延長して形成される。
【００８６】
接続端子支持部１４５０は、一側面から回転軸がある方向に突出し、内部に収容溝が形成された接続端子収容部１４７０を含む。
【００８７】
接続端子支持部１４５０は、モーター１３４０の端子１４９１が収容される収容溝が形成されたモーター端子収容部１４８０と接続端子収容部１４７０の収容溝とモーター端子収容部１４８０の収容溝の間を連通して接続し、電動ファン電源接続端子１５４０、１５５０の延長部１４６０を収容する接続部１４９０を含む。
【００８８】
電源接続部はファン１３３０及びモーター１３４０の配列方向に見て、その断面の外郭形状がファン１３３０、モーター１３４０、または位置維持部の対応する断面の外郭内に位置する。即ち、電源接続部の幅は、電動ファン５２０の他の部分、特に位置維持部の幅より小さく、その断面の外郭から抜け出ることなくその内側に位置する。
【００８９】
図３に示す例では下方から電動ファン５２０を着脱する構造であるが、本発明の少なくとも一つの実施例においては、側面から挿入する構造も可能である。この場合、電動ファン５２０において、特に位置維持部は、電動ファン収容部２４０の内壁と密着する必要があり、電動ファン５２０を電動ファン収容部２４０に対して長手方向に挿入するためには、電源接続部の断面の外郭は少なくとも位置維持部の断面の外郭内に収まることが望ましい。
【００９０】
第１電動ファン電源接続端子１５４０の第１接続接触面１５１０は第１電動ファン電源供給端子３１０の第１供給接触面１５００とダイレクトに接触し、第２電動ファン電源接続端子１５５０の第２接続接触面１５１１は第２電動ファン電源供給端子３１１の第２供給接触面１５０１とダイレクトに接触する。
【００９１】
接続接触面１５１０、１５１１が形成される第１平面１５２０は、第１及び第２供給接触面１５００、１５０１が形成される第２平面１５３０と平行になるように形成される。
【００９２】
電動ファン５２０と接続される電源供給部２５０は、電気ロースターに対して別途の固定手段なしで分解及び組立が可能な着脱式構造を有し、電源供給部２５０または電動ファン５２０の装着時に接続接触面１５１０、１５１１は第１及び第２供給接触面１５００、１５０１に対して平行移動して接触する。
【００９３】
接続接触面１５１０、１５１１が第１及び第２供給接触面１５００、１５０１と接触した状態で、電動ファンの電源接続端子１５４０、１５５０は弾性的に圧縮がかかった状態である。
【００９４】
電動ファンの電源接続端子１５４０、１５５０は、一部が接続端子収容部１４７０の収容溝の外に突出するように収容溝に収容され、一端がモーター１３４０側に延長して形成され、モーター１３４０の端子１４９１と電気的に接続される延長部１４６０を含む。
【００９５】
電動ファン電源供給部２８０の下面において側面と接続される端部は、図６に示すように、ラウンド処理されているので、電源供給部２５０を水平に押し込んで装着する際に、接続端子収容部１４７０の収容溝の外に突出し、圧縮される前は電動ファン電源供給部２８０の下面より高く突出する電動ファンの電源接続端子１５４０、１５５０にかからないが、そのラウンド部分によって電動ファンの電源接続端子１５４０、１５５０が圧縮されながら電動ファン電源供給部２８０の下面に沿って移動可能になる。
【００９６】
本発明の少なくとも一つの実施例において、電動ファンの電源接続端子１５４０、１５５０は、一端は接続端子収容部１４７０の収容溝の外に突出し、他端は延長部１４６０が形成されたコイルスプリングの形態である。
【００９７】
本発明の少なくとも一つの実施例において、第１電動ファン電源接続端子１５４０が第２電動ファン電源接続端子１５５０よりモーター１３４０側方向の反対方向にもっと離隔されているが、これは電源供給部２５０が電源供給部収容部１５０に挿入される際に対角線方向に挿入されるからである。
【００９８】
本発明の少なくとも一つの実施例において、電動ファンの電源接続端子１５４０、１５５０は、一端がモーター１３４０の端子１４９１と電気的に接続され、他端はモーター１３４０の反対側に延長して電源供給部２５０の第１及び第２供給接触面１５００、１５０１と弾性的に接触可能に形成された板バネ構造である。例えば、モーター１３４０の端子１４９１と接続される一端から曲線的に延長して出る屈曲部と屈曲部の端部に形成されて屈曲部によって弾性力を受けながら第１及び第２供給接触面１５００、１５０１と接触する他端を含む構造である。
【００９９】
本発明の少なくとも一つの実施例において、接続接触面１５１０、１５１１が形成される第１平面１５２０と第２平面１５３０には、それぞれ第１及び第２接続接触面１５１０、１５１１がスライディング可能にガイド部９１０、９２０を形成しても良い。
【０１００】
ガイド部９１０、９２０は、例えば、図９に示すように、外側（電動ファン電源供給部２８０の下面端部側）から第１及び第２供給接触面１５００、１５０１までつながる溝で構成することができる。電動ファンの装着の際に、第１及び第２接続接触面１５１０、１５１１がガイド部９１０、９２０に沿って滑らかに第１及び第２供給接触面１５００、１５０１まで滑るようにすることで、電動ファンの電源接続端子１５４０、１５５０への物理的な衝撃を最小化可能である。
【０１０１】
本発明の少なくとも一つの実施例において、接続接触面１５１０、１５１１は、スプリングの端部となっているが、電気的な接触をより確実にするために、スプリングの端部に金属板または金属玉などの電気伝導性を有する電極部材（不図示）を付着しても良い。
【０１０２】
本発明の少なくとも一つの実施例において、図２及び図６に示すように、電源供給部２５０は電気ロースターの長手方向の中心軸を基準として電動ファン５２０側に偏って装着される。
【０１０３】
本発明の少なくとも一つの実施例において、電源供給部収容部１５０を電動ファン５２０の長手方向の軸に沿って、または長手方向の軸から遠く離隔されない位置に形成することで、第１電動ファン電源接続端子１５４０の第１接続接触面１５１０と第１電動ファン電源供給端子３１０の第１供給接触面１５００がダイレクトに接触し、第２電動ファン電源接続端子１５５０の第２接続接触面１５１１が第２電動ファン電源供給端子３１１の第２供給接触面１５０１とダイレクトに接触するようにする。
【０１０４】
前述した実施例ではヒーター電源供給端子２７０はソケットの形状で電源供給部２５０と電気的に接続される構造を例として説明したが、本発明に係る電気ロースターの構造はヒーターと電源供給部が一体型に形成された場合でも適用可能である。
【０１０５】
以上で説明したように、本発明の少なくとも一つの実施例に係る空気循環式電気ロースターは、電気部位が完全に分離されるので、ヒーター部と本体部などの非電気部位をすべて洗浄可能である。
【０１０６】
以上では電動ファンを備える空気循環式電気ロースターを例にして本発明を説明したが、本発明に係る構造は電動ファンを備えない一般的な電気ロースターまたは電気調理機器に対しても同一に適用可能である。
【０１０７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【０１０８】
１００：上部フレーム                          １１０：第１長側壁
１２０：第２長側壁                            １３０：第１短側壁
１４０：第２短側壁                            １５０：電源供給部収容部
２１０：下部フレーム                          ２２０：側壁
２４０：電動ファン収容部                      ２５０：電源供給部
２５３：温度感知ピン                          ２６０：ヒーター電源供給部
２７０：ヒーター電源供給端子                  ２８０：電動ファン電源供給部
３１０、３１１：電動ファン電源供給端子        ３２０：調理板
３４０：回避部                                ４２０：ヒーター
４２１：ヒーター電源接続端子                  ４３０：空気循環板
４４０：第１側面板                            ４５０：第２側面板
４６０：底板                                  ４７０：通気孔
４８０：フランジ部                            ４９０：排出孔
５００：装着孔                                ５１０：油受け部
５２０：電動ファン
【図１】
2020011024.tif 000003
【図２】
2020011024.tif 000004
【図３】
2020011024.tif 000005
【図４】
2020011024.tif 000006
【図５】
2020011024.tif 000007
【図６】
2020011024.tif 000008
【図７】
2020011024.tif 000009
【図８】
2020011024.tif 000010
【図９】
2020011024.tif 000011
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
第１長側壁と第２長側壁を含む一対の長側壁及び前記一対の長側壁より短く形成された第１短側壁と第２短側壁を含む一対の短側壁を有し、前記一対の長側壁と前記一対の短側壁で囲まれた調理空間を有し、前記一対の長側壁と平行な中心軸線から所定の距離だけ離隔した位置において前記中心軸線の方向と異なる方向の辺を有する角部と、収容空間を含む電源供給部収容部とを含むフレームと、
前記一対の長側壁の長手方向に装着される長形の電動ファンと、
ヒーター電源供給端子と、前記電動ファンに電源を供給するための電動ファン電源供給端子を含む電動ファン電源供給部とを含み、前記角部において前記中心軸線の方向と異なる方向に着脱可能に設けられた電源供給部と、
前記調理空間に設けられた調理板と、
前記ヒーター電源供給端子と着脱可能に接続されるヒーター電源接続端子を有し、前記ヒーター電源供給端子を介して電源を供給されて前記調理板を加熱するヒーターと、
を備え、
前記電動ファン電源供給端子は、前記電動ファン電源供給部の下面に形成された溝内に位置し、前記電動ファン電源供給部の前記下面において露出する端子面を含み、
前記電動ファンは、前記電源供給部が前記収容空間に位置して挿入されるにつれて前記電動ファン電源供給部の前記下面と接触した状態でスライディングされ、前記溝内に挿入された状態で端部が前記端子面と電気的に接触する電動ファン電源接続端子を含む、
電気ロースター。
【請求項２】
前記電源供給部収容部は、前記第１長側壁と前記第１短側壁との間で、前記フレームの対角方向において前記フレームの外側に突出している、
請求項１に記載の電気ロースター。
【請求項３】
前記電動ファン電源接続端子は弾性部材で形成され、
前記電動ファン電源供給部の前記下面は、下面端部側に向けて高くなるように傾斜して形成され、前記電動ファン電源接続端子の端部が前記下面端部に接触する状態における前記電動ファン電源接続端子の高さよりも、前記電動ファン電源接続端子の端部が前記端子面に接触する状態における前記電動ファン電源接続端子の高さの方が低い、
請求項１又は２に記載の電気ロースター。
【請求項４】
前記電動ファン電源供給部の前記下面には、前記下面端部側から前記端子面につながるガイド部が形成されている、
請求項３に記載の電気ロースター。
【請求項５】
前記電動ファンは、モーター、前記モーターの一方の側に結合するファン、及び前記モーターにおいて前記ファンの反対側に結合する接続端子支持部を含み、
前記電動ファン電源接続端子は、前記電源供給部収容部に前記電源供給部が収容された状態で端部が前記端子面に接触する高さだけ前記端子面に向けて上方に突出するように形成された、
請求項１から４のいずれか一項に記載の電気ロースター。
【請求項６】
前記接続端子支持部は、接続端子収容溝と、前記モーターと電気的に接続される電極を収容するモーター端子収容溝を含み、
前記電動ファン電源接続端子は、前記接続端子収容溝に挿入され、一端が前記電極と電気的に接続される弾性部材を含む、
請求項５に記載の電気ロースター。
【請求項７】
前記電動ファン電源接続端子は、前記弾性部材の端部に電気伝導性を有する電極部材を含む、
請求項６に記載の電気ロースター。
【請求項８】
前記調理板は、前記調理空間に収容可能な大きさを有し、長手方向の両側の端からそれぞれ上方に延長して前記調理板の外側に屈曲する取っ手を含む、
請求項１に記載の電気ロースター。
【請求項９】
前記取っ手は、前記調理板と一体型に形成された、
請求項８に記載の電気ロースター。
【請求項１０】
平行な一対の第１側壁及び前記一対の第１側壁と垂直を成す平行な一対の第２側壁を有し、前記一対の第１側壁と前記一対の第２側壁で囲まれた調理空間を提供し、収容空間を含む電源供給部収容部を含むフレームと、
前記フレームの底部に装着される電動ファンと、
ヒーター電源供給端子と、前記電動ファンに電源を供給するための電動ファン電源供給端子を含む電動ファン電源供給部とを含み、前記フレームの前記一対の第１側壁に平行な前記フレームの中心軸線から所定の距離だけ離隔されて前記中心軸線の方向と異なる方向に着脱可能に設けられた電源供給部と、
前記調理空間に設けられた調理板と、
ヒーター電源接続端子を含み、前記ヒーター電源供給端子を介して電源を供給され、前記調理板を加熱するヒーターと、
を備え、
前記電動ファン電源供給端子は、前記電動ファン電源供給部の下面に形成された溝内に位置し、前記電動ファン電源供給部の前記下面において露出する端子面を含み、
前記電動ファンは、前記電源供給部が前記収容空間に位置して挿入されるにつれて前記電動ファン電源供給部の前記下面と接触した状態でスライディングされ、前記溝内に挿入された状態で端部が前記端子面と電気的に接触する電動ファン電源接続端子を含む、
電気ロースター。